(57)【要約】【課題】簡易な構成でありながら、露光装置および／または筐体内が現像剤により汚染されることを抑制できる画像形成装置を提供すること。【解決手段】  プリンタ１では、複数（４つ）の感光ドラム２０と、複数（４つ）の現像カートリッジ４６と、複数（４つ）の現像カートリッジ４６を着脱可能に支持するプロセスフレーム２１と、プロセスフレーム２１に対して鉛直方向下側に配置されるスキャナユニット１５とを備える。そして、プロセスフレーム２１に、スキャナユニット１５から感光ドラム２０に向けて出射されるレーザービームＬが透過される透過部材５４を設ける。【選択図】図１
2014071259.tif 000002
【特許請求の範囲】
【請求項１】
開口部を有する筐体と、
筐体内において、互いに間隔を隔てて並列配置される複数の感光ドラムと、
前記複数の感光ドラムのそれぞれに対応して設けられ、対応する前記感光ドラムに現像剤を供給するように構成される現像ローラを備える複数の現像カートリッジと、
前記筐体内に装着される装着位置と、前記装着位置から前記開口部を介して前記筐体外に引き出される引出位置とに移動するように構成され、かつ、前記複数の現像カートリッジのそれぞれを着脱可能に支持するように構成されるカートリッジ支持部材と、
前記装着位置に配置された状態の前記カートリッジ支持部材に対して、鉛直方向の下側に配置され、前記複数の感光ドラムのそれぞれに向けてレーザー光を出射するように構成される露光装置と、を備え、
前記カートリッジ支持部材は、
前記複数の感光ドラムのそれぞれに対応して設けられ、前記レーザー光を透過するように構成される複数の透過部材を備えていることを特徴とする、画像形成装置。
【請求項２】
前記カートリッジ支持部材は、
前記複数の現像カートリッジよりも鉛直方向の下側において、前記カートリッジ支持部材を、鉛直方向と交差する方向において密閉状に閉鎖する第１壁を備え、
前記透過部材は、
前記第１壁に設けられていることを特徴とする、請求項１に記載の画像形成装置。
【請求項３】
前記透過部材は、ガラスから形成されていることを特徴とする、請求項１または２に記載の画像形成装置。
【請求項４】
前記カートリッジ支持部材は、
前記複数の感光ドラムを有し、
前記引出位置に配置される状態から、前記筐体から離脱される離脱位置に移動するように構成されていることを特徴とする、請求項１〜３のいずれか一項に記載の画像形成装置。
【請求項５】
前記カートリッジ支持部材は、前記複数の透過部材のそれぞれを清掃するように構成される清掃部材を備えていることを特徴とする、請求項１〜４のいずれか一項に記載の画像形成装置。
【請求項６】
前記清掃部材は、
前記複数の透過部材に対応して設けられ、対応する前記透過部材と接触することにより、前記透過部材を清掃するように構成される複数の清掃部と、
前記複数の清掃部のそれぞれを移動させるように構成される操作部とを備えていることを特徴とする、請求項５に記載の画像形成装置。
【請求項７】
前記操作部は、
前記カートリッジ支持部材における前記装着位置から前記引出位置へ向かう移動方向の下流側端部に設けられ、前記複数の清掃部のすべてを一括して移動させるように構成されていることを特徴とする、請求項６に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、感光体ドラムと、感光体ドラムに静電潜像を形成するように、感光体ドラムに向かってビーム光（レーザ光）を出射する光走査ユニットと、感光体ドラムに現像剤を供給する現像装置とを備え、光走査ユニットが感光体ドラムに対して下側に配置されるプリンタが知られている。このような光走査ユニットは、ビーム光を通過させるための出射口と、出射口を被覆するように設けられ、出射口を介して光走査ユニット内に現像剤などが侵入することを防止する防塵ガラスとを有している。
【０００３】
しかるに、そのようなプリンタでは、現像装置から感光体ドラムに供給される現像剤が、重力により落下して、防塵ガラス上に堆積する場合がある。そうすると、ビーム光が、防塵ガラス上の堆積物（現像剤）に遮られ、感光体ドラムに精度よく静電潜像を形成することができない場合、すなわち、感光体ドラムの露光不良が生じる場合がある。そこで、防塵ガラス上に堆積した堆積物（現像剤）を除去するための構成が種々検討されている。
【０００４】
例えば、光走査ユニットが、防塵ガラスを一斉に清掃できる清掃装置を備えるカラープリンタが提案されている（例えば、特許文献１参照）。
【０００５】
そして、そのようなカラープリンタでは、プリンタ本体に設けられるモータからの駆動力が、清掃装置に備えられる駆動制御機構および駆動機構に入力されることにより、清掃装置のゴムブレードが往復動作して、防塵ガラス上の堆積物が清掃される。
【先行技術文献】
【特許文献】
【０００６】
【特許文献１】特開２００６−１５４２２８号公報
【発明の概要】
【発明が解決しようとする課題】
【０００７】
しかし、特許文献１に記載のカラープリンタでは、防塵ガラス上に堆積した現像剤を清掃装置により清掃すると、清掃された現像剤が飛散して、光走査ユニットを汚染し、さらには、プリンタ本体内を汚染する場合がある。そうすると、光走査ユニットおよび／またはプリンタ本体内が現像剤により汚染されることに起因して、画像形成不良が生じる場合がある。
【０００８】
そこで、本発明の目的は、簡易な構成でありながら、露光装置および／または筐体内が現像剤により汚染されることを抑制できる画像形成装置を提供することにある。
【課題を解決するための手段】
【０００９】
（１）上記した目的を達成するために、本発明の画像形成装置は、開口部を有する筐体と、筐体内において、互いに間隔を隔てて並列配置される複数の感光ドラムと、複数の感光ドラムのそれぞれに対応して設けられ、対応する感光ドラムに現像剤を供給するように構成される現像ローラを備える複数の現像カートリッジと、筐体内に装着される装着位置と、装着位置から開口部を介して筐体外に引き出される引出位置とに移動するように構成され、かつ、複数の現像カートリッジのそれぞれを着脱可能に支持するように構成されるカートリッジ支持部材と、装着位置に配置された状態のカートリッジ支持部材に対して、鉛直方向の下側に配置され、複数の感光ドラムのそれぞれに向けてレーザー光を出射するように構成される露光装置と、を備えている。
【００１０】
カートリッジ支持部材は、複数の感光ドラムのそれぞれに対応して設けられ、レーザー光を透過するように構成される複数の透過部材を備えている。
【００１１】
このような構成によれば、カートリッジ支持部材が透過部材を備えているので、露光装置から出射されるレーザー光が、透過部材を透過でき、感光ドラムを露光することができる。そのため、複数の現像カートリッジのそれぞれを着脱可能に支持するカートリッジ支持部材に対して、露光装置を鉛直下側に配置することができる。その結果、現像ローラから対応する感光ドラムに供給される現像剤は、重力により落下すると、カートリッジ支持部材内に堆積する。
【００１２】
従って、簡易な構成でありながら、露光装置および／または筐体内が、現像剤により汚染されることを抑制できる。
【００１３】
一方、カートリッジ支持部材内に堆積した現像剤が透過部材上に位置しても、カートリッジ支持部材が装着位置と引出位置とに移動するように構成されているので、カートリッジ支持部材を移動させることにより、透過部材上の現像剤を流動させ、透過部材上から移動させることができる。そのため、露光装置から出射されるレーザー光が、カートリッジ支持部材内に堆積した現像剤により遮られることを抑制でき、それに起因する感光ドラムの露光不良を抑制できる。
【００１４】
また、カートリッジ支持部材が、複数の現像カートリッジのそれぞれを着脱可能に支持しているので、画像形成装置に隣接する設置物がある場合であっても、カートリッジ支持部材を引出位置に配置した状態において、現像カートリッジを着脱することができる。そのため、複数の現像カートリッジのメンテナンス性の向上を図ることができる。
【００１５】
従って、本発明の画像形成装置によれば、簡易な構成でありながら、露光装置および／または筐体内が、現像剤により汚染されることを抑制できながら、感光ドラムの露光不良を抑制でき、さらには、複数の現像カートリッジのメンテナンス性の向上を図ることができる。
（２）また、カートリッジ支持部材は、複数の現像カートリッジよりも鉛直方向の下側において、カートリッジ支持部材を、鉛直方向と交差する方向において密閉状に閉鎖する第１壁を備えていてもよい。この場合、透過部材は、第１壁に設けられている。
【００１６】
このような構成によれば、カートリッジ支持部材が、複数の現像カートリッジよりも鉛直方向の下側において、カートリッジ支持部材を鉛直方向と交差する方向において密閉状に閉鎖する第１壁を備えているので、重力により落下した現像剤は、カートリッジ支持部材の第１壁上に確実に堆積される。
【００１７】
そのため、感光ドラムから落下した現像剤が、露光装置および／または筐体内を汚染することを確実に抑制できる。
【００１８】
また、透過部材が、比較的に露光装置の近傍に位置される第１壁に設けられているので、透過部材の効率的な配置を確保することができる。
（３）また、透過部材は、ガラスから形成されていてもよい。
【００１９】
このような構成によれば、透過部材がガラスから形成されているので、露光装置から出射されるレーザー光を確実に透過させることができる。そのため、感光ドラムを確実に露光することができる。
（４）また、カートリッジ支持部材は、複数の感光ドラムを有し、引出位置に配置される状態から、筐体から離脱される離脱位置に移動するように構成されていてもよい。
【００２０】
このような構成によれば、カートリッジ支持部材が引出位置から離脱位置に移動するように構成されているので、例えば、複数の感光ドラムが寿命を迎えた場合には、カートリッジ支持部材を交換することにより、複数の感光ドラムを一括して交換できる。そのため、感光ドラムが筐体に設けられている場合と比較して、ランニングコストの低減を図ることができる。
【００２１】
また、感光ドラムの交換とともに、カートリッジ支持部材を交換できるので、カートリッジ支持部材内に現像剤が堆積されている場合であっても、ユーザが堆積されている現像剤を清掃・除去する必要がない。そのため、カートリッジ支持部材のメンテナンス性の向上を図ることができる。
【００２２】
その結果、感光ドラムのランニングコストの低減を図ることができながら、カートリッジ支持部材のメンテナンス性の向上を図ることができる。
（５）また、カートリッジ支持部材は、複数の透過部材のそれぞれを清掃するように構成される清掃部材を備えていてもよい。
【００２３】
しかるに、露光装置は、複数の感光ドラムのそれぞれに向けてレーザー光を出射するように構成されているので、感光ドラムに対する高い位置決め精度が要求される。そのため、露光装置に清掃部材を設ける場合、清掃部材にも高い位置決め精度が要求される。その結果、清掃部材の構成が複雑化・大型化し、ひいては、カラープリンタの構成が複雑化・大型化する場合がある。
【００２４】
一方、上記の構成によれば、清掃部材がカートリッジ支持部材に設けられているので、清掃部材が露光装置に設けられている場合と比較して、清掃部材の構成の簡略化・小型化を図ることができ、ひいては、画像形成装置の構成の簡略化・小型化を図ることができる。
【００２５】
従って、清掃部材により透過部材上に堆積される現像剤を確実に清掃できながら、清掃部材および画像形成装置の構成の簡略化・小型化を図ることができる。
（６）また、清掃部材は、複数の透過部材に対応して設けられ、対応する透過部材と接触することにより、透過部材を清掃するように構成される複数の清掃部と、複数の清掃部のそれぞれを移動させるように構成される操作部とを備えていてもよい。
【００２６】
このような構成によれば、清掃部材は操作部を備えているので、ユーザが操作部を操作することにより、複数の清掃部のそれぞれを移動させることができ、透過部材上に堆積される現像剤を清掃することができる。
【００２７】
そのため、清掃部材の清掃部が、筐体内に設けられるモータなどの駆動源により移動される場合と比較して、清掃部材および画像形成装置の構成のさらなる簡略化・小型化を図ることができる。
（７）操作部は、カートリッジ支持部材における装着位置から引出位置へ向かう移動方向の下流側端部に設けられ、複数の清掃部のすべてを一括して移動させるように構成されていてもよい。
【００２８】
このような構成によれば、操作部は、カートリッジ支持部材における装着位置から引出位置へ向かう移動方向の下流側端部に設けられ、複数の清掃部のすべてを一括して移動させるように構成されているので、ユーザが操作部を操作することにより、複数の透過部材上に堆積される現像剤を一括して清掃することができる。
【００２９】
また、複数の清掃部のそれぞれに移動させるための構成が設けられる場合と比較して、すべての清掃部を移動させる構成をコンパクトにすることができ、清掃部材のさらなる簡略化・小型化を図ることができる。
【発明の効果】
【００３０】
本発明の画像形成装置では、簡易な構成でありながら、露光装置および筐体内が現像剤により汚染されることを抑制できる。
【図面の簡単な説明】
【００３１】
【図１】本発明の画像形成装置の第１実施形態としてのプリンタを示す中央断面図であって、プロセスフレームが装着位置に配置された状態を示す。
【図２】図１に示すプリンタの中央断面図であって、プロセスフレームが引出位置に配置された状態を示す。
【図３】図１に示すプロセスフレームのＡ−Ａ断面図である。
【図４】本発明の画像形成装置の第２実施形態としてのプリンタを示す中央断面図であって、プロセスフレームが装着位置に配置された状態を示す。
【図５】図４に示すプリンタの中央断面図であって、プロセスフレームが引出位置に配置された状態を示す。
【図６】本発明の画像形成装置の第３実施形態としてのプリンタに設けられる清掃ユニットの左側面図である。
【発明を実施するための形態】
【００３２】
１．プリンタの全体構成
画像形成装置の一例としてのプリンタ１は、図１に示すように、中間転写型カラープリンタである。
【００３３】
また、プリンタ１は、筐体の一例としての本体ケーシング２と、原稿の画像情報を読み取るフラットベッドスキャナ３とを一体的に備える複合機である。
（１）本体ケーシング
本体ケーシング２は、略ボックス形状に形成されており、その一方側壁には、開口部の一例としての本体開口部４が形成されている。また、本体ケーシング２は、本体開口部４を開閉するフロントカバー５が、その下端部を支点として、本体開口部４を閉鎖する閉鎖位置（図１参照）と、本体開口部４を開放する開放位置（図２参照）とに揺動（移動）可能に設けられている。
【００３４】
なお、以下の説明において、フロントカバー５が設けられる側（図１における紙面右側）を前側（前後方向（第１方向）の一方側）とし、その反対側（図１における紙面左側）を後側（前後方向（第１方向）の他方側）とする。また、フラットベッドスキャナ３が設けられる側（図１における紙面上側）を上側（鉛直方向（第２方向）の一方側）とし、その反対側（図１における紙面下側）を下側（鉛直方向（第２方向）の他方側）とする。また、プリンタ１を前側から見たときを左右の基準とする。すなわち、図１において、紙面奥側が右側（左右方向（第３方向）の一方側）であり、紙面手前側が左側（左右方向（第３方向）の他方側）である。
【００３５】
本体ケーシング２は、用紙Ｓを給紙するように構成される給紙部６と、給紙された用紙Ｓに画像を形成するように構成される画像形成部７と、画像が形成された用紙Ｓを排紙するように構成される排紙部８とを備えている。
（２）給紙部
給紙部６は、本体ケーシング２の底部に設けられ、用紙Ｓを収容する給紙トレイ９を着脱可能に備えている。
【００３６】
給紙トレイ９に収容されている用紙Ｓは、ピックアップローラ１０の回転により、給紙ローラ１１と給紙パッド１２との間に送られ、給紙ローラ１１の回転により１枚ずつ捌かれる。その後、捌かれた用紙Ｓは、給紙ローラ１１の回転により、給紙ローラ１１と各ピンチローラ１３との間を順次通過するように、上方の両レジストローラ１４間に向けて給紙され、レジストローラ１４の回転により、所定のタイミングで、画像形成部７（中間転写ベルト２６（後述）と二次転写ローラ２５（後述）との間）に供給される。
（３）画像形成部
画像形成部７は、給紙部６の上側に配置されており、露光装置の一例としてのスキャナユニット１５と、プロセスユニット１６と、転写ユニット１７と、定着ユニット１８とを備えている。
（３−１）スキャナユニット
スキャナユニット１５は、給紙トレイ９の上方に配置されている。詳しくは後述するが、スキャナユニット１５は、複数（４つ）の感光ドラム２０（後述）のそれぞれに向けて、画像データに基づいて、レーザー光の一例としてのレーザービームＬを出射し、感光ドラム２０（後述）を露光する。
（３−２）プロセスユニット
プロセスユニット１６は、スキャナユニット１５の上方に配置されている。
【００３７】
プロセスユニット１６は、感光ドラム２０と、スコロトロン型帯電器４０と、現像カートリッジ４６とを備えている。
【００３８】
感光ドラム２０は、複数色（ブラック、イエロー、マゼンタ、シアン）に対応して、複数（４つ）設けられている。また、複数（４つ）の感光ドラム２０は、プロセスユニット１６の上端部において、前後方向に互いに間隔を隔てて並列配置されている。
【００３９】
スコロトロン型帯電器４０は、複数（４つ）の感光ドラム２０のそれぞれに対応して設けられ、対応する感光ドラム２０の後下側において、感光ドラム２０に間隔を隔てて対向配置されている。
【００４０】
現像カートリッジ４６は、複数（４つ）の感光ドラム２０のそれぞれに対応して設けられ、対応する感光ドラム２０の前下側に対向配置されている。また、現像カートリッジ４６は、現像ローラ４２を備えている。
【００４１】
現像ローラ４２は、現像カートリッジ４６の上端において、上側から露出されるように回転可能に支持されており、対応する感光ドラム２０に対して前下側から接触している。
【００４２】
また、現像ローラ４２は、感光ドラム２０の周方向において、スコロトロン型帯電器４０と間隔を隔てて配置されている。
【００４３】
なお、現像カートリッジ４６は、現像ローラ４２にトナーを供給する供給ローラ４３と、現像ローラ４２に供給されたトナーの厚みを規制する層厚規制ブレード４４とを備えている。また、現像カートリッジ４６には、供給ローラ４３の下側において、現像剤の一例としてのトナーが収容されている。
（３−３）転写ユニット
転写ユニット１７は、ベルトユニット２４と、二次転写ローラ２５とを備えている。
【００４４】
ベルトユニット２４は、前後方向に沿って延びるように形成され、すべての感光ドラム２０に上側から対向するように配置されている。
【００４５】
ベルトユニット２４は、駆動ローラ２７と、従動ローラ２８と、中間転写ベルト２６と、複数（４つ）の一次転写ローラ２９と、ベルトクリーナ３０とを備えている。
【００４６】
駆動ローラ２７および従動ローラ２８は、前後方向に間隔を隔てて対向配置されている。
【００４７】
中間転写ベルト２６は、その下側部分がすべての感光ドラム２０に接触されるように、駆動ローラ２７および従動ローラ２８の周りに掛け渡されている。また、中間転写ベルト２６は、駆動ローラ２７の駆動および従動ローラ２８の従動により、その下側部分が後側から前側に向かって移動するように、周回移動される。
【００４８】
複数（４つ）の一次転写ローラ２９のそれぞれは、対応する感光ドラム２０に対して、中間転写ベルト２６の下側部分を挟んで、上下方向に対向するように設けられている。
【００４９】
ベルトクリーナ３０は、中間転写ベルト２６の前端部上側に設けられ、ベルトクリーニングローラ３１と、中継ローラ３３と、掻き取りブレード３４と、廃トナー貯留部３５とを備えている。
【００５０】
中間転写ベルト２６の表面に残存したトナー（廃トナー）は、ベルトクリーニングローラ３１によってクリーニングされ、一旦、中継ローラ３３に保持された後、掻き取りブレード３４で掻き取られることにより、廃トナー貯留部３５内に貯留される。
【００５１】
二次転写ローラ２５は、ベルトユニット２４の駆動ローラ２７と、中間転写ベルト２６を挟んで前後方向に対向するように、ベルトユニット２４の後側に設けられている。
（３−４）定着ユニット
定着ユニット１８は、二次転写ローラ２５の上側に配置され、加熱ローラ３６と、加熱ローラ３６に対向する加圧ローラ３７とを備えている。
（３−５）画像形成動作
（３−５−１）現像動作
現像カートリッジ４６内のトナーは、供給ローラ４３に供給され、さらに、現像ローラ４２に供給される。
【００５２】
現像ローラ４２に供給されたトナーは、現像ローラ４２の回転に伴って、供給ローラ４３と現像ローラ４２との間で正極性に摩擦帯電され、層厚規制ブレード４４によって厚さが規制されて、一定厚さの薄層として現像ローラ４２の表面（周面）に担持される。
【００５３】
一方、感光ドラム２０の表面（周面）は、感光ドラム２０の回転に伴って、スコロトロン型帯電器４０により一様に正帯電された後、スキャナユニット１５によって露光される。これにより、感光ドラム２０の周面には、画像データに基づく静電潜像が形成される。
【００５４】
そして、現像ローラ３４に担持されるトナーが感光ドラム２０の周面上の静電潜像に供給されることにより、感光ドラム２０の周面上にトナー像（現像剤像）が担持される。
（３−５−２）転写・定着動作
感光ドラム２０の表面に担持されたトナー像は、前側から後側へ向かって移動される中間転写ベルト２６の下側部分に一次転写される。
【００５５】
中間転写ベルト２６に転写されたトナー像は、中間転写ベルト２６が二次転写ローラ２５との対向位置を通過する間に、給紙部６から供給される用紙Ｓに、二次転写される。
【００５６】
そして、用紙Ｓに転写されたトナー像は、定着ユニット１８において、用紙Ｓが加熱ローラ３６と加圧ローラ３７との間を通過する間に、加熱および加圧されることによって用紙Ｓに熱定着される。
（４）排紙部
本体ケーシング２の上面には、用紙Ｓが排紙される排紙トレイ３８が形成されている。そして、排紙部８は、本体ケーシング２の後側上端部において、排紙トレイ３８よりも上側へ突出するように形成されている。
【００５７】
排紙部８には、排紙トレイ３８よりも上側において、用紙Ｓを排紙する排紙口３９が形成されている。また、排紙部８は、排紙口３９内において、用紙Ｓを排紙トレイ３８へ搬送する複数（３つ）の排紙ローラ４５を備えている。定着ユニット１８においてトナー像が定着された用紙Ｓは、各排紙ローラ４５によって、排紙トレイ３８上に排紙される。
（５）フラットベッドスキャナ
フラットベッドスキャナ３は、排紙トレイ３８の上方に間隔を隔てて、排紙部８の上端部に支持されている。
２．プロセスユニットの詳細
プロセスユニット１６は、カートリッジ支持部材の一例としてのプロセスフレーム２１と、複数（４つ）のドラムユニット２２と、複数（４つ）の現像ユニット２３とを備えている。
（１）プロセスフレーム
プロセスフレーム２１は、上方へ向かって開放される略ボックス形状に形成されており、左右１対の側壁５０（図３参照）と、前壁４８と、後壁４９と、第１壁の一例としての底壁５１とを備えている。
【００５８】
左右１対の側壁５０は、左右方向に互いに間隔を隔てて対向配置されている（図３参照）。側壁５０は、前後方向に延びる側面視略矩形状の略平板形状に形成されている。
【００５９】
左側の側壁５０には、カートリッジ着脱穴（図示せず）が、左右方向に貫通形成されている。カートリッジ着脱穴（図示せず）は、複数（４つ）の現像カートリッジ４６（後述）のそれぞれに対応するように、前後方向に互いに間隔を隔てて複数（４つ）形成されている。カートリッジ着脱穴（図示せず）は、現像カートリッジ４６（後述）を挿通可能な上下前後方向長さに形成されている。
【００６０】
前壁４８は、左右１対の側壁５０の前端部間を架設するように形成され、上下左右方向に延びる略平板形状に形成されている。
【００６１】
後壁４９は、左右１対の側壁５０の後端部間を架設するように形成され、上下左右方向に延びる略平板形状に形成されている。
【００６２】
底壁５１は、左右１対の側壁５０、前壁４８および後壁４９それぞれの下端部を連結するように形成され、前後左右方向に延びる略平板形状に形成されている。これにより、底壁５１は、プロセスフレーム２１の下端部を、上下方向（鉛直方向）と直交（交差）する方向において密閉状に閉鎖している。
【００６３】
また、底壁５１は、レーザー通過口５２と、透過部材支持部５３とを有している。
【００６４】
レーザー通過口５２は、複数（４つ）の感光ドラム２０のそれぞれに対応して、複数（４つ）形成されている。複数（４つ）のレーザー通過口５２は、図３に示すように、底壁５１の左右方向略中央部分において、前後方向に互いに間隔を隔てて形成されている。
【００６５】
レーザー通過口５２は、左右方向に延びる平面視略矩形状に貫通形成されている。
【００６６】
透過部材支持部５３は、図１に示すように、レーザー通過口５２の周端部から上方に向かって突出する略角筒形状に形成されている。透過部材支持部５３の上端部は、左右方向から見て、後方へ向かうに従って斜め上方へ傾斜するように形成されている。
【００６７】
また、透過部材支持部５３には、透過部材５４が支持されている。つまり、透過部材５４は、複数（４つ）の感光ドラム２０のそれぞれに対応して、複数（４つ）設けられている。
【００６８】
透過部材５４は、図３に示すように、ガラスから形成され、左右方向に延びる平面視略矩形状の略平板形状に形成されている。
【００６９】
そして、透過部材５４は、図１に示すように、レーザー通過口５２を上側から被覆するように、透過部材支持部５３の上端部に支持されている。そのため、透過部材５４は、透過部材支持部５３の上端部の傾斜に沿って、後方へ向かうに従って斜め上方へ傾斜するように配置されている。また、透過部材５４の傾斜方向Ｘ（具体的には、前下方から後上方へ向かう方向）と、スキャナユニット１５から出射されるレーザービームＬの出射軌跡とが形成する角θの角度は、具体的には、略９０°である。
【００７０】
そして、プロセスフレーム２１は、図１および図２に示すように、本体ケーシング２内に装着される装着位置（図１参照）と、装着位置から移動方向Ｙ（具体的には、後側から前側に向かう方向）に沿って前方に向かって引き出され、本体開口部４を介して本体ケーシング２の外部に露出する引出位置（図２参照）と、引出位置からさらに前上方に向かって引き出され、本体ケーシング２から離脱される離脱位置（図２における点線参照）とに移動可能に設けられている。
【００７１】
詳しくは、プロセスフレーム２１は、図１に示すように、装着位置に配置された状態において、そのすべてが本体ケーシング２内に収容され、スキャナユニット１５に対して鉛直方向上側に配置される。
【００７２】
また、プロセスフレーム２１は、図２に示すように、引出位置に配置された状態において、すべてのカートリッジ着脱穴（図示せず）が本体ケーシング２の外部に位置するように、その後端部を除く部分が本体ケーシング２の外部に配置される。
【００７３】
また、プロセスフレーム２１は、離脱位置（図２における点線参照）に配置された状態において、そのすべてが本体ケーシング２から離脱される。
（２）ドラムユニット
複数（４つ）のドラムユニット２２は、図１に示すように、プロセスフレーム２１内の上端部において、前後方向に互いに間隔を隔てて並列配置されている。
【００７４】
ドラムユニット２２は、上記した感光ドラム２０およびスコロトロン型帯電器４０と、ドラムクリーニングローラ４１とを備えている。
【００７５】
感光ドラム２０は、左右方向に延びる略円筒形状に形成され、透過部材５４に対して前上方に間隔を隔てて配置されている。そして、感光ドラム２０は、その左右両端部が左右１対の側壁５０の上端部に回転可能に支持されている。
【００７６】
スコロトロン型帯電器４０は、左右方向に延びるように形成され、透過部材５４に対して上方に間隔を隔てて配置されている。そして、スコロトロン型帯電器４０は、その左右両端部が、左右１対の側壁５０に支持（固定）されている。
【００７７】
ドラムクリーニングローラ４１は、複数（４つ）の感光ドラム２０のそれぞれに対応して設けられ、スコロトロン型帯電器４０の上側において、対応する感光ドラム２０に後側から接触するように配置されている。また、ドラムクリーニングローラ４１は、左右方向に延びる略円筒形状に形成されている。そして、ドラムクリーニングローラ４１は、その左右両端部が左右１対の側壁５０に回転可能に支持されている。
（３）現像ユニット
複数（４つ）の現像ユニット２３のそれぞれは、ドラムユニット２２の前下側において、１つずつ配置されている。
【００７８】
現像ユニット２３は、揺動軸６０と、ばね部材６１と、現像支持フレーム５５と、上記した現像カートリッジ４６とを備えている。
【００７９】
揺動軸６０は、プロセスフレーム２１の上下方向略中央部分において、各スコロトロン型帯電器４０の下側に配置されている。また、揺動軸６０は、左右方向に延びる略円柱形状に形成されている。そして、揺動軸６０は、その左右両端部が、左右１対の側壁５０における上下方向略中央部分に回転可能に支持されている。
【００８０】
ばね部材６１は、底壁５１の上面において、各透過部材５４の前側に配置されている。また、ばね部材６１は、上下方向に延びる空心コイルばね状に形成されている。そして、ばね部材６１は、その下端部が底壁５１に固定されている。
【００８１】
現像支持フレーム５５は、支持部分５６と、連結部分５７とを一体的に有している。
【００８２】
支持部分５６は、上方に向かって開放される側面視略Ｃ字状に形成され、左右方向に延びるように形成されている。また、支持部分５６の上面（内面）は、現像カートリッジ４６の下端部における外形と沿うように形成されている。
【００８３】
連結部分５７は、支持部分５６の後端部から連続して、後方へ向かうに従って上方へ傾斜するように形成されている。また、連結部分５７には、貫通口５８が形成されている。貫通口５８は、連結部分５７においてレーザービームＬの出射軌跡と重なる部分に形成され、レーザービームＬの通過を許容するように、上下方向に貫通形成されている。
【００８４】
そして、現像支持フレーム５５は、連結部分５７の後端部が揺動軸６０に固定されるとともに、支持部分５６の下端部がばね部材６１の上端部に固定されることにより、プロセスフレーム２１に支持されている。そのため、現像支持フレーム５５は、ばね部材６１の付勢力により、揺動軸６０を支点として、左側面視反時計回りに付勢されている。
【００８５】
現像カートリッジ４６は、現像ローラ４２が対応する感光ドラム２０に前下側から接触するように、現像支持フレーム５５の支持部分５６に離脱可能に装着されている。つまり、現像カートリッジ４６は、プロセスフレーム２１の底壁５１に対して鉛直方向の上側に配置されている。また、現像カートリッジ４６の現像ローラ４２は、ばね部材６１により、感光ドラム２０に向かって付勢されており、感光ドラム２０と圧接されている。
【００８６】
そして、現像カートリッジ４６は、プロセスフレーム２１が引出位置に配置された状態において、左側から見て、カートリッジ着脱穴（図示せず）を介して露出されている。そのため、現像カートリッジ４６は、プロセスフレーム２１が引出位置に配置された状態において、カートリッジ着脱穴（図示せず）を介して、現像支持フレーム５５の支持部分５６に着脱可能である。
３．感光ドラムの露光動作
次に、プリンタ１における感光ドラム２０の露光動作について説明する。
【００８７】
スキャナユニット１５から出射されたレーザービームＬは、プロセスフレーム２１の底壁５１に形成されるレーザー通過口５２を下側から上側に向かって通過し、さらに透過部材５４を透過する。
【００８８】
そして、透過部材５４を透過したレーザービームＬは、現像支持フレーム５５の連結部分５７の貫通口５８を下側から上側に向かって通過し、現像ローラ４２とスコロトロン型帯電器４０との間から露出される感光ドラム２０の周面に到達する。
【００８９】
これにより、感光ドラム２０の周面が、レーザービームＬにより露光され、感光ドラム２０の周面に画像データに基づく静電潜像が形成される。
４．作用効果
（１）プリンタ１では、図１に示すように、プロセスフレーム２１に透過部材５４が設けられているので、スキャナユニット１５から出射されるレーザービームＬが、透過部材５４を透過した後、感光ドラム２０を露光することができる。そのため、複数（４つ）の現像カートリッジ４６のそれぞれを支持するプロセスフレーム２１に対して、スキャナユニット１５を下側（鉛直下側）に配置することができる。その結果、現像カートリッジ４６の現像ローラ４２から対応する感光ドラム２０に供給されるトナーが、重力により落下すると、そのトナーはプロセスフレーム２１内に堆積される。
【００９０】
従って、簡易な構成でありながら、スキャナユニット１５および／または本体ケーシング２内が、トナーにより汚染されることを抑制できる。
【００９１】
一方、プロセスフレーム２１内に堆積されたトナーが透過部材５４の上面に位置してもプロセスフレーム２１を装着位置（図１参照）と引出位置（図２参照）とに移動させることにより、透過部材５４の上面に位置するトナーを流動させることができ、透過部材５４の上面から移動させることができる。
【００９２】
そのため、スキャナユニット１５から出射されるレーザービームＬが、プロセスフレーム２１内に堆積されたトナーにより遮られることを抑制でき、それに起因する感光ドラム２０の露光不良を抑制できる。
【００９３】
また、プロセスフレーム２１が、複数（４つ）の現像カートリッジ４６のそれぞれを着脱可能に支持しているので、プリンタ１に隣接する設置物がある場合であっても、プロセスフレーム２１を引出位置（図２参照）に配置した状態において、カートリッジ着脱口（図示せず）を介して、現像カートリッジ４６を着脱することができる。そのため、複数（４つ）の現像カートリッジ４６のメンテナンス性の向上を図ることができる。
【００９４】
従って、プリンタ１によれば、簡易な構成でありながら、スキャナユニット１５および／または本体ケーシング２内が、トナーにより汚染されることを抑制できながら、感光ドラム２０の露光不良を抑制でき、さらには、複数（４つ）の現像カートリッジ４６のメンテナンス性の向上を図ることができる。
（２）また、プロセスフレーム２１が、図１に示すように、複数（４つ）の現像カートリッジ４６よりも下側（鉛直方向の下側）において、プロセスフレーム２１の下端部を上下方向（鉛直方向）と直交する方向において密閉状に閉鎖する底壁５１を備えているので、重力により落下したトナーは、プロセスフレーム２１の底壁５１上に確実に堆積される。
【００９５】
そのため、感光ドラム２０から落下したトナーが、スキャナユニット１５および／または本体ケーシング２内を汚染することを確実に抑制できる。
【００９６】
また、透過部材５４が、比較的にスキャナユニット１５の近傍に位置される底壁５１に設けられているので、透過部材５４の効率的な配置を確保することができる。
【００９７】
とりわけ、透過部材５４は、レーザービームＬの出射軌跡と傾斜方向Ｘとが略直交するように傾斜して設けられているので、透過部材５４の上面に落下したトナーは、透過部材５４の上面に沿って前方に流動し、透過部材支持部５３の前側に堆積される。
【００９８】
そのため、透過部材５４が、レーザービームＬが確実に透過させることができながら、透過部材５４の上にトナーが堆積することを抑制できる。
（３）また、透過部材５４がガラスから形成されているので、図１に示すように、スキャナユニット１５から出射されるレーザービームＬを確実に透過させることができる。そのため、感光ドラム２０を確実に露光することができる。
（４）また、プロセスフレーム２１が、図２に示すように、引出位置から離脱位置（図２における点線参照）に移動するように構成されているので、例えば、複数（４つ）の感光ドラム２０が寿命を迎えた場合には、プロセスフレーム２１を交換することにより、複数（４つ）の感光ドラム２０を一括して交換できる。そのため、感光ドラム２０が本体ケーシング２に設けられている場合と比較して、ランニングコストの低減を図ることができる。
【００９９】
また、感光ドラム２０の交換とともに、プロセスフレーム２１を交換できるので、プロセスフレーム２１内にトナーが堆積している場合であっても、ユーザが堆積するトナーを清掃・除去する必要がない。そのため、プロセスフレーム２１のメンテナンス性の向上を図ることができる。
【０１００】
その結果、感光ドラム２０のランニングコストの低減を図ることができながら、プロセスフレーム２１のメンテナンス性の向上を図ることができる。
５．第２実施形態
次に、本発明の第２実施形態について説明する。
【０１０１】
図４は、本発明の画像形成装置の第２実施形態としてのプリンタを示す中央断面図であって、プロセスフレームが装着位置に配置された状態を示す。また、図５は、図４に示すプリンタの中央断面図であって、プロセスフレームが引出位置に配置された状態を示す。
【０１０２】
図４および図５において、図１〜図３に示す各部に対応する部分には、それらの各部と同一の参照符号を付し、その説明を省略する。
【０１０３】
第１実施形態では、図２に示すように、ドラムユニット２２と現像ユニット２３とが、プロセスフレーム２１に一体的に支持されるが、これに対して、第２実施形態では、図５に示すように、ドラムユニット２２が、プロセスフレーム２１とは別体として形成されるドラムフレーム６５に支持されている。
（１）ドラムフレーム
ドラムフレーム６５は、図４に示すように、前後方向に延びる平面視略矩形状枠形状に形成されている。
【０１０４】
また、ドラムフレーム６５には、複数（４つ）のドラムユニット２２が支持されている。複数（４つ）のドラムユニット２２は、前後方向に互いに間隔を隔てて並列配置されている。
【０１０５】
そして、ドラムフレーム６５は、図４および図５に示すように、本体ケーシング２内に装着されるドラム装着位置（図４参照）と、ドラム装着位置から前方に向かって引き出され、本体開口部４を介して本体ケーシング２から離脱されるドラム離脱位置（図５における点線参照）とに移動可能に設けられている。
【０１０６】
また、ドラムフレーム６５は、ドラム装着位置に配置されている状態において、ベルトユニット２４が備える左右１対のベルトフレーム６７に支持されている。
【０１０７】
左右１対のベルトフレーム６７は、ベルトユニット２４を左右方向において挟むように、左右方向に互いに間隔を隔てて対向配置されている。また、左右１対のベルトフレーム６７は、その上側部分間において、ベルトユニット２４を支持するとともに、その下側部分間において、ドラム装着位置に配置されるドラムフレーム６５を支持している。
【０１０８】
そして、左右１対のベルトフレーム６７は、その後端部を支点として揺動（移動）可能に設けられている。
（２）現像カートリッジ
第２実施形態では、図５に示すように、プロセスフレーム２１が引出位置に配置された状態において、すべての現像カートリッジ４６が上側から露出している。
【０１０９】
そのため、現像カートリッジ４６は、プロセスフレーム２１が引出位置に配置された状態において、現像支持フレーム５５の支持部分５６に対して上側から着脱できる。
【０１１０】
このような第２実施形態においても、上記した第１実施形態と同様の作用効果を得ることができる。
６．第３実施形態
次に、本発明の第３実施形態について説明する。
【０１１１】
図６は、本発明の画像形成装置の第３実施形態としてのプリンタに設けられる清掃ユニットの左側面図である。
【０１１２】
図６において、図１〜図５に示す各部に対応する部分には、それらの各部と同一の参照符号を付し、その説明を省略する。
（１）清掃ユニット
本発明の第３実施形態では、プロセスフレーム２１に、清掃装置の一例としての清掃ユニット７５が設けられている。
【０１１３】
清掃ユニット７５は、支持板７６と、操作部７７と、ブレード支持部７８と、清掃部の一例としての清掃ブレード８０とを備えている。
【０１１４】
支持板７６は、前後方向に延びる側面視略矩形状の略平板形状に形成されている。また、支持板７６には、ボス挿通穴８１が形成されている。
【０１１５】
ボス挿通穴８１は、前後方向に互いに間隔を隔てて複数対（４対）形成されている。各対のボス挿通穴８１は、前後方向に間隔を隔てて形成される２つのボス挿通穴８１から構成されている。
【０１１６】
ボス挿通穴８１は、上下方向に延びる側面視略楕円形状に貫通形成され、その前後方向長さが、第１ボス８２（後述）の外径と略同径に形成され、その上下方向長さが、第１ボス８２（後述）の外径よりも長く形成されている。そして、１対のボス挿通穴８１において、後側のボス挿通穴８１は、後側のボス挿通穴８１の下端部と前側のボス挿通穴８１の下端部とを結ぶ仮想の線分（図示せず）が傾斜方向Ｘに沿うように、前側のボス挿通穴８１の後上側に形成されている。
【０１１７】
そして、支持板７６は、その前端部がプロセスフレーム２１の前壁４８を貫通して、前壁４８よりも前側に配置されるように、プロセスフレーム２１に支持されている。また、支持板７６は、詳しくは後述するが、清掃ブレード８０が対応する透過部材５４の前側に配置される第１位置（図６実線参照）と、清掃ブレード８０が対応する透過部材５４の後ろ側に配置される第２位置と（図６点線参照）に、前後方向に沿って移動可能に構成されている。
【０１１８】
操作部７７は、ゴム材料から形成され、後方に向かって開放される略袋状に形成されている。そして、操作部７７は、支持板７６の前端部を被覆するように、支持板７６の前端部に対して前側から外嵌（外側から嵌合）されている。
【０１１９】
ブレード支持部７８は、支持板７６の右側に配置されており、複数（４つ）の透過部材５４に対応して、複数（４つ）設けられている。ブレード支持部７８は、側面視略矩形状に形成され、左右方向に延びるように形成されている。
【０１２０】
ブレード支持部７８には、その左端面において、１対の第１ボス８２が設けられ、その右端面において、第２ボス（図示せず）が設けられている。
【０１２１】
１対の第１ボス８２は、ブレード支持部７８の左端面における上側部分に設けられ、前後方向に互いに間隔を隔てて並列配置されている。第１ボス８２は、ブレード支持部７８の左端面から左方へ向かって突出する略円柱形状に形成されている。
【０１２２】
第２ボス（図示せず）は、ブレード支持部７８の右端面における下側部分に設けられている。第２ボス（図示せず）は、ブレード支持部７８の右端面から右方へ向かって突出する略円柱形状に形成されている。
【０１２３】
そして、ブレード支持部７８は、１対の第１ボス８２が対応する１対のボス挿通穴８１に挿通されるとともに、第２ボス（図示せず）がプロセスフレーム２１の右側の側壁５０に設けられるボス支持部８３に嵌合されることにより、プロセスフレーム２１に支持されている。
【０１２４】
ボス支持部８３は、右側の側壁５０の左面（左右方向内側面）における下側部分において、前後方向に互いに間隔を隔てて複数（４つ）設けられている。
【０１２５】
ボス支持部８３は、傾斜方向Ｘに沿って延びる側面視略楕円形状に形成され、右側の側壁５０の左面から左方へ向かって突出するように形成されている。
【０１２６】
清掃ブレード８０は、ゴム材料から形成され、左右方向に延びる略平板形状に形成されている。そして、清掃ブレード８０は、下方へ向かうに従って後方へ傾斜するように、ブレード支持部７８の下端部に固定されている。
（２）清掃ユニットによる透過部材の清掃動作
次に、清掃ユニット７５による透過部材５４の清掃について説明する。
【０１２７】
透過部材５４の上面にトナーが堆積される場合において、透過部材５４を清掃するには、まず、支持板７６を第１位置に配置する（図６実線参照）。
【０１２８】
次いで、ユーザは、清掃ユニット７５の操作部７７を把持して、操作部７７を後方へ向かって押圧する。
【０１２９】
そうすると、支持板７６が後方へ向かって移動されるとともに、ブレード支持部７８が後上方に向かって移動される。詳しくは、ブレード支持部７８は、第２ボス（図示せず）がボス支持部８３にガイドされ、後上方へ移動するとともに、第１ボス８２がボス挿通穴８１にガイドされ、上方へ移動することにより、傾斜方向Ｘに沿って後下方へ移動する。
【０１３０】
ブレード支持部７８の移動に伴って、ブレード支持部７８に支持される清掃ブレード８０も傾斜方向Ｘに沿って後下方へ移動する。つまり、ユーザが、操作部７７を把持して、操作部７７を操作することにより、複数（４つ）の清掃ブレード８０のすべてが一括して移動される。
【０１３１】
このとき、すべての清掃ブレード８０の下端部のそれぞれは、対応する透過部材５４の上面と接触し摺擦する（図６点線参照）。なお、清掃ブレード８０は、前側に反るように、弾性変形される。
【０１３２】
これにより、透過部材５４の上面に堆積されるトナーは、清掃ブレード８０により、透過部材５４の上面に沿って後上方へ向かって移動される。
【０１３３】
さらに、操作部７７を後方へ移動させると、支持板７６およびブレード支持部７８を介して、清掃ブレード８０がさらに、傾斜方向Ｘに沿って後下方へ移動する。
【０１３４】
そして、清掃ブレード８０の下端部と、清掃ブレード８０の上面との接触が解消され、支持板７６が第２位置に配置される。
【０１３５】
このとき、清掃ブレード８０は、弾性変形された状態（前側に反るように湾曲した状態）から、弾性力により、略平板形状に復元する。これにより、透過部材５４の上面に堆積されるトナーが、透過部材５４の上面から透過部材支持部５３の後側に落下する。
【０１３６】
以上により、透過部材５４の上面に位置したトナーが、透過部材５４の上面から清掃（除去）され、清掃ブレード８０による透過部材５４の清掃が完了する。
【０１３７】
なお、清掃動作終了後、上記の手順と逆の手順により、支持板７６を第２位置から第１位置に移動させる。
（３）作用効果
（３−１）第３実施形態によれば、プロセスフレーム２１に清掃ユニット７５が設けられているので、清掃ユニット７５がスキャナユニット１５に設けられている場合と比較して、清掃ユニット７５の構成の簡略化・小型化を図ることができ、ひいては、プリンタ１の構成の簡略化・小型化を図ることができる。
【０１３８】
従って、清掃ユニット７５により透過部材５４の上面に堆積されるトナーを確実に清掃できながら、清掃ユニット７５およびプリンタ１の構成の簡略化・小型化を図ることができる。
（３−２）また、清掃ユニット７５が操作部７７を備えているので、ユーザが操作部７７を把持して、支持板７６を後方へ向かって移動させることにより、複数（４つ）の清掃ブレード８０のそれぞれを移動させることができる。そのため、透過部材５４の上面に堆積されるトナーを清掃することができる。
【０１３９】
その結果、清掃ユニット７５の清掃ブレード８０が、本体ケーシング２内に設けられるモータなどの駆動源により移動される場合と比較して、清掃ユニット７５およびプリンタ１の構成のさらなる簡略化・小型化を図ることができる。
（３−３）また、操作部７７は、支持板７６における前端部（移動方向Ｙの下流側端部）に設けられている。
【０１４０】
また、ユーザが操作部７７を把持して、支持板７６を後方へ向かって移動させると、複数（４つ）の清掃ブレード８０のすべてが一括して、後上方へ向かって移動される。
【０１４１】
そのため、ユーザが操作部７７を操作することにより、複数（４つ）の透過部材５４の上面に堆積されるトナーを一括して清掃することができる。
【０１４２】
また、複数（４つ）の清掃ブレード８０のそれぞれに移動させるための構成を設ける場合と比較して、すべての清掃ブレード８０を移動させる構成をコンパクトにすることができ、清掃ユニット７５のさらなる簡略化・小型化を図ることができる。
【０１４３】
また、このような第３実施形態においても、上記した第１実施形態と同様の作用効果を得ることができる。
【０１４４】
なお、これら第１実施形態〜第３実施形態は、適宜組み合わせることができる。
【符号の説明】
【０１４５】
１      プリンタ
２      本体ケーシング
４      本体開口部
１５    スキャナユニット
２０    感光ドラム
２１    プロセスフレーム
４２    現像ローラ
４６    現像カートリッジ
５１    底壁
５４    透過部材
７５    清掃ユニット
７７    操作部
８０    清掃ブレード
Ｌ      レーザービーム
Ｙ      移動方向
【図１】
2014071259.tif 000003
【図２】
2014071259.tif 000004
【図３】
2014071259.tif 000005
【図４】
2014071259.tif 000006
【図５】
2014071259.tif 000007
【図６】
2014071259.tif 000008